(57)【要約】【目的】  本発明の目的は、塵や埃の侵入を防止し、これによりショートや導通不良を防ぐことができるフレキシブル基板用コネクタを提供することにある。【構成】  基板１に取り付けられており且つフレキシブル基板１０が挿入可能な挿入口１１１が設けられた中空部１１０を有するボディ１００と、このボディ１００の中空部１１０に設けられており且つ基板１と電気接続された端子であって、フレキシブル基板１０と電気接続可能な複数の端子部２００と、ボディ１００を覆い端子部２００に埃や塵等が侵入するのを防ぐ部材であって当該ボディ１００に回動自在に取り付けられており且つこの回動に応じて当該中空部１１０の挿入口１１１を開閉可能に閉塞する閉塞部３１０を有するカバー３００とを具備する。【選択図】      図３
2005294097.tif 000002
【特許請求の範囲】
【請求項１】
基板上に取り付けられており且つフレキシブル基板が挿入可能な挿入口が設けられた中空部を有するボディと、このボディの中空部に設けられ、挿入されたフレキシブル基板と電気接続可能な端子部と、前記ボディに取り付けられたカバーとを具備しており、前記端子部は、前記ボディの外部に突出し、前記基板と電気接続される接続部を有しており、前記カバーは少なくとも前記端子部の接続部を覆うようになっていることを特徴とするフレキシブル基板用コネクタ。
【請求項２】
請求項１記載のフレキシブル基板用コネクタにおいて、前記カバーは前記ボディに回動自在に取り付けられており、回動に応じて前記端子部の接続部を開閉可能に覆うカバー本体と、このカバー本体に設けられ、前記回動に応じて前記中空部の挿入口を開閉可能に閉塞する閉塞部とを有することを特徴とするフレキシブル基板用コネクタ。
【請求項３】
前記フレキシブル基板の下面上に接点が設けられた請求項２記載のフレキシブル基板用コネクタにおいて、前記端子部は前記カバーの閉塞部と対向配置されており且つ前記フレキシブル基板の接点と接触可能な接点部を有しており、前記カバーの閉塞部は前記挿入口を閉塞した状態で当該挿入口に挿入された前記フレキシブル基板に当接し、これにより当該フレキシブル基板の接点を前記端子部の接点部に押圧させるようになっていることを特徴とするフレキシブル基板用コネクタ。
【請求項４】
請求項２記載のフレキシブル基板用コネクタにおいて、前記ボディには、前記カバーに当接可能であり且つ当該カバーの所定以上の回動を止めるためのストッパが設けられていることを特徴とするフレキシブル基板用コネクタ。
【請求項５】
請求項４記載のフレキシブル基板用コネクタにおいて、前記ボディに取り付けられ、前記ストッパに当接して当該ストッパ及びカバーの脱落を防止する脱落防止部材を有していることを特徴とするフレキシブル基板用コネクタ。
【請求項６】
請求項１記載のフレキシブル基板用コネクタにおいて、前記端子部の接続部は前記ボディの一端部から下方に向けて突出している一方、前記脱落防止部材は前記ボディの底面の他端部に設けられた嵌合部に嵌合する一方、当該脱落防止部材の下端部が嵌合した状態でボディの底面から突出しており、前記端子部の接続部の突出量と前記脱落防止部材の突出量とが略同じであることを特徴とするフレキシブル基板用コネクタ。
【発明の詳細な説明】
【技術分野】
【０００１】
本発明は、フレキシブル基板と接続されるフレキシブル基板用コネクタに関する。
【背景技術】
【０００２】
この種のフレキシブル基板用コネクタは、フレキシブル基板が挿入可能な挿入口が設けられた中空部を有するボディと、このボディの中空部に設けられており且つ基板に電気接続された端子であって、挿入されたフレキシブル基板と電気接続可能な端子部とを具備している( 特許文献１及び２参照) 。
【０００３】
【特許文献１】特開２００２−１１０２７３号公報
【特許文献２】特開２００３−１５１６６２号公報
【発明の開示】
【発明が解決しようとする課題】
【０００４】
しかしながら、前記フレキシブル基板用コネクタは、端子部と基板との接続部分が常に露出した状態であるので、当該接続部分に塵や埃が堆積し、これにより当該接続部分がショートや導通不良を起こすという問題があった。
【０００５】
本発明は、上記事情に鑑みて創案されたものであって、その目的とするところは、塵や埃の侵入を防止し、塵や埃の堆積により生じるショートや導通不良を防ぐことができるフレキシブル基板用コネクタを提供することにある。
【課題を解決するための手段】
【０００６】
上記課題を解決するために、本発明のフレキシブル基板用コネクタは、基板上に取り付けられており且つフレキシブル基板が挿入可能な挿入口が設けられた中空部を有するボディと、このボディの中空部に設けられ、挿入されたフレキシブル基板と電気接続可能な端子部と、前記ボディに取り付けられたカバーとを具備しており、前記端子部は、前記ボディの外部に突出し、前記基板と電気接続される接続部を有しており、前記カバーは少なくとも前記端子部の接続部を覆うようになっていることを特徴としている。
【０００７】
前記カバーは前記ボディに回動自在に取り付けられている。このカバーは、回動に応じて前記端子部の接続部を開閉可能に覆うカバー本体と、このカバー本体に設けられ、前記回動に応じて前記中空部の挿入口を開閉可能に閉塞する閉塞部とを有する構成となっている。
【０００８】
前記フレキシブル基板の下面上に接点が設けられている場合、前記端子部は前記カバーの閉塞部と対向配置されており且つ前記フレキシブル基板の接点と接触可能な接点部を有している。前記カバーの閉塞部は前記挿入口を閉塞した状態で当該挿入口に挿入された前記フレキシブル基板に当接し、これにより当該フレキシブル基板の接点を前記端子部の接点部に押圧させるようになっている。
【０００９】
前記ボディには、前記カバーに当接可能であり且つ当該カバーの所定以上の回動を止めるためのストッパが設けられていることが好ましい。
【００１０】
前記端子部の接続部は前記ボディの一端部から下方に向けて突出している一方、前記脱落防止部材は前記ボディの底面の他端部に設けられた嵌合部に嵌合する一方、当該脱落防止部材の下端部が嵌合した状態でボディの底面から突出している。この場合、前記端子部の接続部の突出量と前記脱落防止部材の突出量とが略同じであるとする。
【発明の効果】
【００１１】
本発明の請求項１に係るフレキシブル基板用コネクタによる場合、ボディに取り付けられたカバーにより当該ボディの外部に突出した端子部の接続部を覆うようになっている。このため、端子部の接続部に塵や埃が堆積することを防止することができるので、これにより生じるショートや導通不良を防止することができる。
【００１２】
本発明の請求項２に係るフレキシブル基板用コネクタによる場合、ボディに回動自在に取り付けらたカバーが、回動に応じて前記端子部の接続部を開閉可能に覆うカバー本体と、このカバー本体に設けられ、回動に応じて前記中空部の挿入口を開閉可能に閉塞する閉塞部とを有する構成となっている。即ち、カバーにより前記端子部の接続部の基板との電気部分及び当該端子部とフレキシブル基板との接続部分を覆うことができるので、端子部の接続部に塵や埃が堆積するのを防ぐだけでなく、挿入口からボディの中空部内の端子部に埃や塵等が侵入し、堆積するのを防止することができる。よって、請求項１の効果を得る上でメリットがある。
【００１３】
本発明の請求項３に係るフレキシブル基板用コネクタによる場合、カバーの閉塞部が前記挿入口を閉塞した状態で挿入されたフレキシブル基板に当接し、当該フレキシブル基板の接点を端子部の接点部に押圧するようになっている。このため、フレキシブル基板と端子部との安定した電気接続を図ることができる。
【００１４】
本発明の請求項４に係るフレキシブル基板用コネクタによる場合、端子部の接続部を基板の配線パターンに接触させ、この状態で半田リフローを行うに当たり、カバーをストッパに当接させておけば、当該カバーが回動して端子部の接続部を覆い、これによりリフロー熱が遮断されるというようなことがなくなる。即ち、リフロー熱が遮断されることにより生じる端子部と基板との実装不良を防止することができる。
【００１５】
本発明の請求項５に係るフレキシブル基板用コネクタによる場合、脱落防止部材によりカバー及びストッパの脱落を防止することができる。
【００１６】
本発明の請求項６に係るフレキシブル基板用コネクタによる場合、前記端子部の接続部のボディの底面から突出する突出量と前記脱落防止部材のボディの底面から突出する突出量とが略同じである。よって、端子部の接続部を基板の配線パターンとを位置合わせし、ボディを基板上に載置した際に、当該ボディがぐらつくことがなく、端子部と基板との接続が容易になる。
【発明を実施するための最良の形態】
【００１７】
以下、本発明の実施の形態に係るフレキシブル基板用コネクタを図面を参照しながら説明する。図１はフレキシブル基板用コネクタを示す図であって、( ａ) が平面図、( ｂ）が正面図、( ｃ）が底面図、図２は同コネクタを示す図であって、( ａ) がカバーの閉状態の斜視図、( ｂ) がカバーの開状態の斜視図、図３は同コネクタを示す図であって、( ａ) がカバーの閉状態のＡ−Ａ断面図、( ｂ) がカバーの開状態のＢ−Ｂ断面図、図４が同コネクタの分解斜視図、図５は同コネクタのボディを示す図であって、( ａ) が平面図、( ｂ）が正面図、( ｃ）が底面図、( ｄ) が背面図、図６は同コネクタのカバーを示す図であって、( ａ) が平面図、( ｂ）が正面図、( ｃ）が底面図、図７は同コネクタのストッパを示す図であって、( ａ) が平面図、( ｂ）が正面図、( ｃ）が底面図、図８は同コネクタの脱落防止部材を示す図であって、( ａ) が平面図、( ｂ）が正面図、( ｃ）が底面図、図９は同コネクタを示す内部が一部透過したＣ−Ｃ断面図である。
【００１８】
図１、図２及び図３に示すフレキシブル基板用コネクタは、基板１上に取り付けられ、フレキシブル基板１０が挿入可能な挿入口１１１が設けられた中空部１１０を有するボディ１００と、このボディ１００の中空部１１０に設けられ、挿入されたフレキシブル基板１０と電気接続可能な複数の端子部２００と、ボディ１００を覆い端子部２００に埃や塵等が侵入するのを防ぐ部材であって当該ボディ１００に回動自在に取り付けられており且つこの回動に応じて当該中空部１１０の挿入口１１１を開閉可能に閉塞する閉塞部３１０を有するカバー３００と、ボディ１００に取り付けられ、カバー３００の回動を止めるストッパ４００と、ボディ１００に取り付けられ、ストッパ４００及びカバー３００の脱落を防止する脱落防止部材５００、５００とを具備する。以下、各部を詳しく説明する。なお、フレキシブル基板１０の下面には図示しない接点が設けられている。
【００１９】
ボディ１００は、樹脂製の成形品であり、図３、図４及び図５に示すように、その内部に中空部１１０を有する。この中空部１１０の一方の面には挿入口１１１が開設されている一方、他方の面には端子挿入口１１２が開設されている( 図３参照) 。また、中空部１１０の上面及び下面には端子部２００のアーム部２２０、接点部２３０が挿入される複数のスリット１１３、１１４が設けられている( 図５参照) 。
【００２０】
このボディ１００の長さ方向の両端部の内側面にはカバー３００の回動軸部３３０、３３０が嵌まり込む嵌合部１２０、１２０が、外側面にはカバー３００のアーム部３４０、３４０の爪部３４１、３４１が係合される係合溝１３０、１３０が設けられている。この係合溝１３０、１３０は、略逆Ｌ字状の溝であり、前面の壁及び奥側の天面の壁が開放されている( 図４参照) 。この係合溝１３０、１３０にカバー３００の爪部３４１、３４１が回動可能に係合するのである。また、ボディ１００の両端部の外側面には、係合溝１３０、１３０の下側にストッパの４００の爪部４１１、爪部４１１が係止される係止溝１４０、１４０が設けられている。ボディ１００の底面には脱落防止部材５００、５００が嵌まり込む嵌合部１５０、１５０が設けられている。また、ボディ１００の背面には、カバー３００の係止片３２１、３２１が係止される凹部１６０、１６０が設けられている( 図５の( ｄ) 及び図９参照) 。
【００２１】
端子部２００は、銅合金で構成されて部品であって、図３に示すように、基部２１０と、この基部２１０に連なる部材である複数のアーム部２２０と、このアーム部２２０に連なる部材であり且つフレキシブル基板１０の下面側の接点と接触可能な接点部２３０と、この接点部２３０とアーム部２２０との間に設けられた把持部２４０とを有する。この端子部２００をボディ１００の端子挿入口１１２から中空部１１０に挿入すると、アーム部２２０が中空部１１０のスリット１１３に、接点部２３０が中空部１１０のスリット１１４に挿入される。そして、基部２１０が中空部１１０の端子挿入口１１２に嵌まり込む。このようにして端子部２００がボディ１００の中空部１１０内に配置されるのである。
【００２２】
基部２１０の下部には、ボディ１００の端子挿入口１１２から下方に向けて突出する接続部２１１が設けられている。この接続部２１１は基板１の図示しない配線パターンと半田接続される。
【００２３】
接点部２３０は弾性を有し、且つ先端部に上側に凸の凸部が設けられている。この接点部２３０の先端部は、フレキシブル基板１０が挿入されおらず、カバー３００が閉状態にあるときに、当該カバー３００の閉塞部３１０の下端面３１１と当接している。この接点部２３０は、カバー３００が開状態にあるときに、フレキシブル基板１０が挿入されると、弾性変形し、先端部が所定の接触圧で当該フレキシブル基板１０の下面側の接点に接触する。把持部２４０は弾性を有し、先端部に下側に凸の凸部が設けられている。この把持部２４０は、フレキシブル基板１０が挿入されると、弾性変形して接点部２３０と共に当該フレキシブル基板１０を把持する。
【００２４】
カバー３００は、樹脂製の成形品であって、図４及び図６に示すように、ボディ１００の上面及び中空部１１０の端子挿入口１１２を覆う( 即ち、端子部２００の接続部２１１を覆う) カバー本体３２０と、カバー本体３２０の前面に設けられた閉塞部３１０と、この閉塞部３１０の長さ方向の両端部の外側面に設けられた回動軸部３３０、３３０と、カバー本体３２０の前面の両端部に設けられたアーム部３４０、３４０とを有する。閉塞部３１０は、図３に示すように、断面視略Ｌ字状の部材であって、その下端面３１１が平らにされている。この下端面３１１が回動に応じて挿入されたフレキシブル基板１０に当接して当該フレキシブル基板１０の接点を接点部２３０に押圧させるよ。カバー本体３２０には、閉状態でボディ１００の凹部１６０、１６０に係止される係止片３２１、３２１が設けられている( 図６の( ｃ）及び図９) 。アーム部３４０、３４０は閉塞部３１０の両端部の外側面に沿って延びており且つその先端部の内側に爪部３４１、３４１が設けられている。このカバー３００は、回動軸部３３０、３３０がボディ１００の嵌合部１２０、１２０に嵌まり込むと共に、アーム部３４０、３４０の爪部３４１、３４１が係合溝１３０、１３０に係合することによりボディ１００に回動自在に取り付けられる。
【００２５】
ストッパ４００は、ＳＵＳ製の正面視略逆Ｕ状の部品であって、図４及び図７に示すように、その先端部４１０、４１０が内側に向けて直角に折り曲げられ且つ当該ストッパ４００の長さ方向と直交する方向に延びている。この先端部４１０、４１０の内側面の先端には爪部４１１、４１１が設けられている。この爪部４１１、４１１がボディ１００の係止溝１４０、１４０に係止され、これによりストッパ４００がボディ１００に取り付けられる。このストッパ４００は、ボディ１００に取り付けられた状態で、カバー３００のカバー本体３２０の斜め上に位置し、カバー本体３２０に当接可能になっている( 図２及び図３参照) 。即ち、ストッパ４００が、カバー３００に当接し、これによりカバー３００の図３( ｂ）の矢印方向への所定以上の回動を防止すると共に、当該カバー３００の脱落を防止している。
【００２６】
脱落防止部材５００は、黄銅で構成された部品であって、図４及び図８に示すように、正面視略Ｕ字状の部材である。この脱落防止部材５００は、一端部がボディ１００の嵌合部１５０、１５０に嵌まり込み、他端部がストッパ４００の側面に沿って配置される。この脱落防止部材５００の他端部には、ストッパ４００の脱落防止するための突出片５１０が内側に向けて設けられている。この状態で、脱落防止部材４００の下端部がボディ１００の底面に突出するようになっている( 図３参照) 。この脱落防止部材４００の突出した部分の高さ寸法はボディの底面から突出する端子部２１０の接続部２１１の突出した部分の高さ寸法と略同じになっている。よって、端子部２１０の接続部２１１を基板１の配線パターンとを半田接続するに当たり、ボディ１００を基板１上に載置したとしても、当該ボディ１がぐらつくことがない。
【００２７】
以下、このようなフレキシブル基板用コネクタの組立手順及び使用方法について詳しく説明する。
【００２８】
まず、ボディ１００に端子部２００を取り付ける。その後、図４に示すように、カバー３００の回動軸部３３０、３３０をボディ１００の嵌合部１２０、１２０に挿入し嵌合させると共に、当該カバー３００のアーム部３４０、３４０の爪部３４１、３４１を係合溝１３０、１３０部に挿入して係合させる。これによりカバー３００がボディ１００に回動自在に取り付けられる。
【００２９】
その後、ストッパ４００の先端部４１０、４１０の爪部４１１、４１１を係止溝１４０、１４０に挿入して係止させる。そして、脱落防止部材４００、４００をボディ１００の嵌合部１５０、１５０に各々嵌合させる。
【００３０】
そして、当該ボディ１００を基板１上に位置合わせして載置する( 基板１はリフロー機内に配置されている) 。即ち、端子部２００の接続部２１１が基板１の配線パターンに接触するように載置する。このとき、カバー３００がストッパ４００に当接している( 図３の( ｂ) 参照) 。初期状態ではカバー３００は開状態となっており、ボディ１００の端子挿入口１１１及び挿入口１１２が露出した状態になっている。この状態で半田リフローを行い、端子部２００の接続部２１１と基板１の配線パターンとを電気接続させる。このように端子部２００の接続部２１１が露出した状態で半田リフローを行うようにすれば、当該カバー３００のカバー本体３２０によりリフロー熱が遮られ、うまく半田接続ができないというようなことを防止することができる。
【００３１】
その後、ボディ１００の挿入口１１１にフレキシブル基板１０を挿入する。すると、当該フレキシブル基板１０が接点部２３０及び把持部２４０に弾性的に把持される。これにより、フレキシブル基板１０の接点と接点部２３０とが接触する。
【００３２】
その後、カバー３００を回動させると、図３の( ａ) に示すように、この回動に応じて、閉塞部３１０が移動し、ボディ１００の挿入口１１１を閉塞すると共に、カバー本体３２０が移動して端子挿入口１１２を覆う( 即ち、端子部２００の接続部２１１を覆う) 。すると、当該閉塞部３１０の下端面３１１がフレキシブル基板１０に当接して当該フレキシブル基板１０を接点部２３０に押圧させる。即ち、フレキシブル基板１０は閉塞部３１０の下端面３１１と接点部２３０とで把持され、これにより保持されると共に、前記押圧により当該フレキシブル基板１０の接点と接点部２３０との安定した電気接続が可能になる。なお、このとき、カバー３００の係止片３２１、３２１はボディ１００の凹部１６０、１６０に係止され、これにより閉塞部３１０が挿入口１１１を閉塞した状態が維持される( 図９参照) 。
【００３３】
このようなフレキシブル基板用コネクタによる場合、ボディ１００に回動自在に取り付けられたカバー３００により当該ボディ１００の挿入口１１１及び端子挿入口１１２が開閉自在に覆われるようになっている。即ち、カバー３００によりボディ１００の挿入口１１１及び端子挿入口１１２を覆うことができるので、当該端子部２００に埃や塵等が侵入することを防止することができる。よって、端子部２００の接続部２１１や接点部２３０に塵や埃が堆積することを防止することができ、塵や埃の堆積により端子部２００の接点部２３０や接続部２１１に生じるショートや導通不良を防止することができる。
【００３４】
このフレキシブル基板用コネクタについては、基板上に取り付けられており且つフレキシブル基板が挿入可能な挿入口が設けられた中空部を有するボディと、このボディの中空部に設けられ、挿入されたフレキシブル基板と電気接続可能な端子部と、前記ボディに取り付けられたカバーとを具備しており、前記端子部は、前記ボディの外部に突出し、前記基板と電気接続される接続部を有しており、前記カバーは少なくとも前記端子部の接続部を覆うようになっている限りどのような設計変形を行ってもかまわない。
【００３５】
よって、ボディ１００については、端子部２００が設けられる中空部１１０を有し、この中空部１１０に挿入口１１１が設けられている一方、端子部２００の接続部２１１がボディ１００の外部に突出可能である限り、その形状は任意に設計変更することが可能である。
【００３６】
カバー３００についても、端子部２００の接続部２１１を覆うようになっている限りどのような形状であっても良い。また、カバー３００はボディ１００に回動自在に取り付けられている必要はなく、端子部２００の接続部２１１の基板１との電気接続を行った後、ボディ１００に取り付けるようにしてもかまわない。
【００３７】
端子部２００は、基部２１０の下部に接続部２１１が設けられているとしたが、接続部２１１をどのように設けるか否かは任意である。また、端子部２００は、フレキシブル基板１０の接点は上面、下面の両方に設けられている場合には、把持部２４０を第２の接点部とし、上面の接点と接触可能とすることもできる。
【図面の簡単な説明】
【００３８】
【図１】フレキシブル基板用コネクタを示す図であって、( ａ) が平面図、( ｂ）が正面図、( ｃ）が底面図である。
【図２】同コネクタを示す図であって、( ａ) がカバーの閉状態の斜視図、( ｂ) がカバーの開状態の斜視図である。
【図３】同コネクタを示す図であって、( ａ) がカバーの閉状態のＡ−Ａ断面図、( ｂ) がカバーの開状態のＢ−Ｂ断面図である。
【図４】同コネクタの分解斜視図である。
【図５】同コネクタのボディを示す図であって、( ａ) が平面図、( ｂ）が正面図、( ｃ）が底面図、( ｄ) が背面図である。
【図６】同コネクタのカバーを示す図であって、( ａ) が平面図、( ｂ）が正面図、( ｃ）が底面図である。
【図７】同コネクタのストッパを示す図であって、( ａ) が平面図、( ｂ）が正面図、( ｃ）が底面図である。
【図８】同コネクタの脱落防止部材を示す図であって、( ａ) が平面図、( ｂ）が正面図、( ｃ）が底面図である。
【図９】同コネクタを示す内部が一部透過したＣ−Ｃ断面図である。
【符号の説明】
【００３９】
１０    フレキシブル基板
１００  ボディ
１００  中空部
１１１  挿入口
２００  端子部
３００  カバー
３１０  閉塞部
【図１】
2005294097.tif 000003
【図２】
2005294097.tif 000004
【図３】
2005294097.tif 000005
【図４】
2005294097.tif 000006
【図５】
2005294097.tif 000007
【図６】
2005294097.tif 000008
【図７】
2005294097.tif 000009
【図８】
2005294097.tif 000010
【図９】
2005294097.tif 000011